(57)【特許請求の範囲】
【請求項１】
ドラムに一対のワイヤの各一端の第１エンド部を係止して巻回し、各ワイヤの他端の第２エンド部を、ガイドレールの上下両端部のガイド部にそれぞれ掛け回してから、ウインドウパネルが固定されたキャリアプレートに形成された収納凹部に対して、上下方向よりテンションスプリングを介して係止し、ドラムを回転させてワイヤを上下に駆動させることにより、キャリアプレートをウインドウパネルごと上下動させるワイヤ式ウインドウレギュレータ装置であって、
前記収納凹部における上下壁部には、前記第１エンド部及び前記ワイヤが通過可能且つ前記テンションスプリング及び前記第２エンド部が通過不能な孔径サイズの貫通孔をそれぞれ形成し、該貫通孔には、該貫通孔に連続すると共に、前記ワイヤの幅より若干大きい幅の切欠溝を形成し、前記収納凹部へ収納された状態の前記第２エンド部から延びる前記ワイヤが前記切欠溝内に位置するようになっていることを特徴とするワイヤ式ウインドウレギュレータ装置。
【発明の詳細な説明】
【技術分野】
【０００１】
本発明はワイヤ式ウインドウレギュレータ装置に関するものである。
【背景技術】
【０００２】
従来のワイヤ式ウインドウレギュレータ装置としては、ドアに固定されたガイドレールに、上下動自在なキャリアプレートを設け、そのキャリアプレートにウインドウパネルを固定している。ガイドレールには上下に駆動するワイヤが掛け回され、そのワイヤにキャリアプレートを係止することにより、ウインドウパネルと一体のキャリアプレートが、ワイヤごと上下動する構造になっている。
【０００３】
ワイヤは上下に２本設けられ、それぞれ一端の第１エンド部をガイドレールに支持された駆動ドラムに巻回している。他方の第２エンド部はガイドレールの上下両端部のガイド部にそれぞれ掛け回してから、キャリアプレートに対して上下方向から係止される。
【０００４】
第２エンド部の係止構造としては、第２エンド部をテンションスプリングと共に容器状のエンドケース内に入れ、そのエンドケースを裏返した状態でキャリアプレートに結合している。ワイヤはエンドケースのスリットから外に出ており、内部のテンションスプリングによりテンションが付与されている。第２エンド部及びテンションスプリングはエンドケースの内部に閉じ込められた状態となり、キャリアプレートから外れないようになる（例えば、特許文献１参照。）。
【０００５】
【特許文献１】特許第３６０４１９６号公報
【発明の開示】
【発明が解決しようとする課題】
【０００６】
しかしながら、このような従来の技術にあっては、ワイヤの第２エンド部及びテンションスプリングをエンドケース内に収納してから裏返しにしてキャリアプレートに結合する必要があるため、キャリアプレートに対するワイヤの係止作業が面倒で作業能率の低下を招いている。また、エンドケースを必要とする分、部品点数の増加も招いていた。
【０００７】
本発明は、このような従来の技術に着目してなされたものであり、キャリアプレートに対するワイヤの係止作業が容易で且つ部品点数の低減を図ることができるワイヤ式ウインドウレギュレータ装置を提供するものである。
【課題を解決するための手段】
【０００８】
請求項１記載の発明は、ドラムに一対のワイヤの各一端の第１エンド部を係止して巻回し、各ワイヤの他端の第２エンド部を、ガイドレールの上下両端部のガイド部にそれぞれ掛け回してから、ウインドウパネルが固定されたキャリアプレートに形成された収納凹部に対して、上下方向よりテンションスプリングを介して係止し、ドラムを回転させてワイヤを上下に駆動させることにより、キャリアプレートをウインドウパネルごと上下動させるワイヤ式ウインドウレギュレータ装置であって、前記収納凹部における上下壁部には、前記第１エンド部及び前記ワイヤが通過可能且つ前記テンションスプリング及び前記第２エンド部が通過不能な孔径サイズの貫通孔をそれぞれ形成し、該貫通孔には、該貫通孔に連続すると共に、前記ワイヤの幅より若干大きい幅の切欠溝を形成し、前記収納凹部へ収納された状態の前記第２エンド部から延びる前記ワイヤが前記切欠溝内に位置するようになっていることを特徴とする。
【発明の効果】
【００１０】
請求項１記載の発明によれば、収納凹部の上下壁部に形成された貫通孔に、ワイヤの第１エンド部を通すことにより、第２エンド部とテンションスプリングを貫通孔周辺に係止させた状態で収納凹部内に収納することができるため、キャリアプレートに対するワイヤの係止作業が容易である。ワイヤの第２エンド部を収納凹部の貫通孔周辺に直接係止させるため、他の部品が不要で、部品点数の低減を図ることができる。
【００１１】
また、収納凹部へ収納された状態の第２エンド部から延びるワイヤが、貫通孔から形成された切欠溝内に位置するため、係止作業後のワイヤの振れが切欠溝により規制され、ワイヤの位置が安定する。
【発明を実施するための最良の形態】
【００１２】
本発明は、キャリアプレートに対するワイヤの係止作業が容易で且つ部品点数の低減を図ることができるワイヤ式ウインドウレギュレータ装置を提供するという目的を、ドラムに一対のワイヤの各一端の第１エンド部を係止して巻回し、各ワイヤの他端の第２エンド部を、ガイドレールの上下両端部のガイド部にそれぞれ掛け回してから、ウインドウパネルが固定されたキャリアプレートに形成された収納凹部に対して、上下方向よりテンションスプリングを介して係止し、ドラムを回転させてワイヤを上下に駆動させることにより、キャリアプレートをウインドウパネルごと上下動させるワイヤ式ウインドウレギュレータ装置であって、前記収納凹部における上下壁部には、前記第１エンド部及び前記ワイヤが通過可能且つ前記テンションスプリング及び前記第２エンド部が通過不能な孔径サイズの貫通孔をそれぞれ形成し、該貫通孔には、該貫通孔に連続すると共に、前記ワイヤの幅より若干大きい幅の切欠溝を形成し、前記収納凹部へ収納された状態の前記第２エンド部から延びる前記ワイヤが前記切欠溝内に位置するようになっていることで、実現した。以下、本発明の実施例を図面に基づいて説明する。
【実施例】
【００１３】
図１〜図１０は、本発明の一実施例を示す図である。図１は、左ドアに設けられたウインドウレギュレータ装置を車外側から見た側面図である。右ドア側も同様の構造になっている（図示省略）。
【００１４】
ガイドレール１は若干後傾した状態で、ドアの内部に図示せぬブラケットを介して固定されている。ガイドレール１の途中にはケース２が結合され、該ケース２内にはモータ３で回転駆動するドラム４が収納されている。
【００１５】
ドラム４は、図５及び図６に示すように、２つのポケット部５を有し、そこに２本のワイヤ６の一端である第１エンド部７が係止されている。第１エンド部７は所定の厚さを有する円盤形で、該第１エンド部７をポケット部５内に係止したドラム４は、外周溝８に２本のワイヤ６をそれぞれ逆方向に巻回する。従って、ドラム４を回転させることにより、一方のワイヤ６は巻き取られ、他方のワイヤ６は送り出される。
【００１６】
ドラム４に第１エンド部７を係止した２本のワイヤ６は、それぞれガイドレール１の上下両端部のガイド部９にそれぞれ掛け回された後、ガイドレール１に上下動自在に支持されたキャリアプレート１０に上下方向から係止される。キャリアプレート１０は、ガイド溝１１（図７参照）と弾性挟持片１２（図２参照）により、ガイドレール１の前後の側縁を挟持することにより、上下動自在に支持されている。キャリアプレート１０にはウインドウパネルＷが固定されている。
【００１７】
キャリアプレート１０には樹脂成形により概略断面半円状の収納凹部１３が上下方向に形成され、その内部にワイヤ６の他端の第２エンド部１４がテンションスプリング１５を介した状態で収納されている。第２エンド部１４は円柱部１６にフランジ１７を有する形状で、テンションスプリング１５は円柱部１６の周囲に圧縮された状態で設けられている。テンションスプリング１５によりワイヤ６にテンションが付与されているため、ワイヤ６のたるみが防止される。
【００１８】
第２エンド部１４の円柱部１６の中心からのワイヤ６は、収納凹部１３の上壁部１８及び下壁部１９に形成された貫通孔２０に連続して形成される切欠溝２１内から収納凹部１３の外に出て上下方向へ延びている。
【００１９】
次に、ワイヤ６の組み付け方について説明する。図９に示すように、ワイヤ６の第１エンド部７の外径サイズａは、貫通孔２０の孔径サイズｂよりも小さい。従って、第１エンド部７は貫通孔２０を通過可能である。貫通孔２０に形成された切欠溝２１の幅はワイヤ６の断面径よりも若干大きい程度である。テンションスプリング１５の外径サイズｃ及び第２エンド部１４のフランジ７の外径サイズｄは、それぞれ貫通孔２０の孔径サイズｂよりも大きい。従って、テンションスプリング１５及び第２エンド部１４は貫通孔２０を通過することができない。
【００２０】
ワイヤ６を組み付ける場合、まず２本のワイヤ６のそれぞれの第２エンド部１４の円柱部１６にテンションスプリング１５をセットしておく。次に、各ワイヤ６の第１エンド部７は収納凹部１３内から貫通孔２０に通され、上下両側に引き出される。ワイヤ６を第１エンド部７側から上下に強く引き出すことにより、テンションスプリング１５は圧縮状態となり、第２エンド部１４及びテンションスプリング１５は収納凹部１３内に収納される。
【００２１】
第２エンド部１４及びテンションスプリング１５を収納凹部１３内に収納した状態で、第２エンド部１４の中心から延びるワイヤ６は、収納凹部１３から貫通孔２０と一体に形成された切欠溝２１内に位置することとなる。切欠溝２１の幅がワイヤ６の断面径よりも若干大きい程度のため、ワイヤ６は切欠溝２１内で振れが防止され安定する。この状態で、ワイヤ６を強く上下に引いても、テンションスプリング１５及び第２エンド部１４は、貫通孔２０の周辺の上壁部１８及び下壁部１９に当たり、係止された状態となる。テンションスプリング１５及び第２エンド部１４の上壁部１８や下壁部１９に対する位置をズラして、それらと貫通孔２０との位置を合致させても、それらのサイズｃ、ｄが貫通孔２０の孔径サイズｂよりも大きいため、貫通孔２０を通過することはできず、係止状態が確実に維持される。
【００２２】
キャリアプレート１０の収納凹部１３から上下に引き出されたワイヤ６は、ガイドレール１の上下のガイド部９に掛け回した後、第１エンド部７がドラム４のポケット部５にそれぞれ係止された状態で、ドラム４の外周溝８に巻回されることにより、組付けが完了する。ドラム４をモータ３により回転駆動させると、上下のワイヤ６の一方が巻き取られ且つ他方が送り出されるため、キャリアプレート１０はウインドウパネルＷごと上下に移動する。尚、キャリアプレート１０をガイドレール１に組み付けた状態では、ウインドウパネルＷがキャリアプレート１０の収納凹部１３を覆うので、エンド部１４が収納凹部１３から抜け出すことはない。
【００２３】
この実施例によれば、以上説明したように、収納凹部１３の上下壁部１８、１９に形成された貫通孔２０に、ワイヤ６の第１エンド部７を通すことにより、第２エンド部１４とテンションスプリング１５を貫通孔２０の周辺の上壁部１８及び下壁部１９に係止させた状態で収納凹部内１３に収納することができるため、キャリアプレート１０に対するワイヤ６の係止作業が容易である。ワイヤ６の第２エンド部１４を収納凹部１３の貫通孔２０の周辺の壁部に直接係止させるため、他の部品が不要で、部品点数の低減を図ることができる。
【産業上の利用可能性】
【００２４】
以上の実施例においては、第１エンド部７を円盤状、第２エンド部１４を円柱部１６及びフランジ１７を有する形状にする例を示したが、これに限定されず、球状などの形状であっても良い。
【図面の簡単な説明】
【００２５】
【図１】本発明の一実施例に係るワイヤ式ウインドウレギュレータ装置を示す側面図。
【図２】図１のキャリアプレートを示す側面部。
【図３】図１のモータとドラムを示す側面図。
【図４】図３中矢示ＳＡ−ＳＡ線に沿う断面図。
【図５】図３のドラムを示す側面図。
【図６】図３のドラムを示す平面図。
【図７】キャリアプレートの収納凹部にワイヤの第１エンド部を通す状態を示す斜視図。
【図８】収納凹部内にテンションスプリング及び第２エンド部を収納した状態を示す一部断面の側面図。
【図９】貫通孔に対するサイズを示す説明図。
【図１０】収納凹部内から見た第２エンド部の収納状態を示す側面部。
【符号の説明】
【００２６】
１  ガイドレール
４  ドラム
６  ワイヤ
７  第１エンド部
９  ガイド部
１０  キャリアプレート
１３  収納凹部
１４  第２エンド部
１５  テンションスプリング
１８  上壁部
１９  下壁部
２０  貫通孔
２１  切欠溝
ａ  第１エンド部の外径サイズ
ｂ  貫通孔の孔径サイズ
ｃ  テンションスプリングの外径サイズ
ｄ  フランジの外径サイズ
Ｗ  ウインドウパネル
【図１】
0004573768.tif 000002
【図２】
0004573768.tif 000003
【図３】
0004573768.tif 000004
【図４】
0004573768.tif 000005
【図５】
0004573768.tif 000006
【図６】
0004573768.tif 000007
【図７】
0004573768.tif 000008
【図８】
0004573768.tif 000009
【図９】
0004573768.tif 000010
【図１０】
0004573768.tif 000011